(57)【特許請求の範囲】
【請求項１】
設置面上に設けられた支持体に支持される防水部材と、
前記防水部材の下端部に設けられ、上下方向に弾性変形可能な第一弾性部材と、
前記防水部材に上方を向いて設けられ、または、前記支持体に下方を向いて設けられ、前記防水部材から前記支持体に向かうに従って上方に向かうようにして傾斜する傾斜面を有する第一接触部と、
前記傾斜面が設けられた前記防水部材または前記支持体の一方に対して他方に設けられ、前記傾斜面に接触する第二接触部と、
を備え、
前記防水部材に設けられた前記傾斜面または前記第二接触部は、前記第一弾性部材が弾性変形していない状態において、前記支持体に設けられた前記第二接触部または前記傾斜面よりも上方に位置し、
前記第二接触部が前記傾斜面に接触することで、前記第一弾性部材が前記上下方向に収縮するように弾性変形した状態が維持される
防水装置。
【請求項２】
請求項１に記載の防水装置であって、
前記防水部材に設けられた前記傾斜面または前記第二接触部は、前記防水部材の上端部に設けられている
防水装置。
【請求項３】
請求項１または２に記載の防水装置であって、
前記防水部材に設けられた前記傾斜面または前記第二接触部は、前記防水部材において前記支持体と接する部位である、前記防水部材の幅方向の側部に設けられている
防水装置。
【請求項４】
請求項１から３のいずれか一項に記載の防水装置であって、
前記第二接触部は、前記傾斜面に対応して傾斜する接触面を有し、
前記第二接触部は、前記接触面を介して前記傾斜面と接触する
防水装置。
【請求項５】
請求項１から４のいずれか一項に記載の防水装置であって、
前記第二接触部が前記傾斜面に接触した状態において前記防水部材の前記支持体に対向する面に設けられ、弾性変形可能な第二弾性部材をさらに備え、
前記第二弾性部材は、弾性変形していない状態の厚み寸法が、前記第二接触部が前記傾斜面に接触した状態における前記防水部材と前記支持体との間の距離よりも大きい
防水装置。
【発明の詳細な説明】
【技術分野】
【０００１】
本発明は、防水装置に関する。
【背景技術】
【０００２】
地下道や地下鉄の出入口やビルなどの建物の出入口などには、台風や集中豪雨などによる増水が発生した際に、それらの出入口から内部に水が浸入することを防止する防水装置が設けられる。このような防水装置は、例えば特許文献１や特許文献２に開示されている。
【０００３】
特許文献１に記載された防水装置は、ボルトに雄螺子を形成し後端に締付け部を形成した止水板押圧具と、先端に枠に繋止するための繋止部分が設けられ後端に前記雄螺子と螺合できるように形成したナット部が設けられた支持受けフック部と、止水板押圧具が貫通するための貫通穴が両端近傍に設けられた止水板と、を備える。止水板には、気密性を保つために、貫通穴用パッキンと、両端部前面パッキンと、下面パッキンとが取り付けられる。
【０００４】
止水板を固定する際には、止水板押圧具に貫通穴用パッキンを取り付けて、止水板押圧具を止水板の貫通穴に裏面側から貫通させる。そして、止水板を下方床面に押さえつけながら、枠に繋止部分を繋止した支持受けフック部のナット部にボルトの雄螺子を螺着して、締付け部を締め込む。これにより、止水板は枠および床面に押圧固定され、倒伏が防止される。また、止水板と枠との間に設けられた両端部前面パッキンが止水板押圧具による押圧力により圧縮されるため、止水板と枠との間の止水性が高められる。
【０００５】
特許文献２に記載された防水装置は、方立てと、パッキン介して方立てに当接し、方立てに対してラッチ手段により着脱自在に構成された止水板と、を備える。ラッチ手段として、止水板の両側部にはフックがピンにより回動自在に取り付けられ、方立ての側面には止水板のフックに対応する位置に係止ピンが設けられている。
【０００６】
止水板を固定する際には、止水板をパッキンを介して方立ての当面に当接させ、フックを係止ピンに係止させる。これにより、止水板はパッキンを介して方立てに圧接され、圧接状態がフックと係止ピンとにより維持される。よって、止水板と方立てとの間に配設されたパッキンが圧縮されるとともに、止水板の倒伏が防止される。
【先行技術文献】
【特許文献】
【０００７】
【特許文献１】特許第４８１００５９号公報
【特許文献２】特開２００６−２１４１７８号公報
【発明の概要】
【発明が解決しようとする課題】
【０００８】
特許文献１に記載された防水装置では、止水板の自重を枠に仮支持させた状態で、止水板押圧具を使用する。同様に、特許文献２に記載された防水装置でも、止水板の自重を方立てに仮支持させた状態で、ラッチ手段を使用する。このため、いずれの防水装置でも、止水板の設置作業に時間が掛かってしまう。
【０００９】
また、防水装置は、枠や方立てなどの支持体と止水板などの防水部材とを防水部材の厚み方向に連結することによって防水部材の倒伏を防止する構造を有する。このため、特許文献１に記載された防水装置の下面パッキンのような弾性部材、すなわち、防水装置の下端部に設けられ、上下方向に弾性変形して接地面と防水部材との間への浸水を防止する弾性部材に対する押圧力は小さくなってしまう。
【００１０】
本発明は、防水部材を簡単に設置することができ、設置後の倒伏を防止することができ、かつ防水部材の下端部に設けられた弾性部材に十分な押圧力を加えることができる防水装置を提供することを目的とする。
【課題を解決するための手段】
【００１１】
本発明の一態様によれば、防水装置は、設置面上に設けられた支持体に支持される防水部材と、前記防水部材の下端部に設けられ、上下方向に弾性変形可能な第一弾性部材と、前記防水部材に上方を向いて設けられ、または、前記支持体に下方を向いて設けられ、前記防水部材から前記支持体に向かうに従って上方に向かうようにして傾斜する傾斜面を有する第一接触部と、前記傾斜面が設けられた前記防水部材または前記支持体の一方に対して他方に設けられ、前記傾斜面に接触する第二接触部と、を備える。
前記防水部材に設けられた前記傾斜面または前記第二接触部は、前記第一弾性部材が弾性変形していない状態において、前記支持体に設けられた前記第二接触部または前記傾斜面よりも上方に位置する。前記第二接触部が前記傾斜面に接触することで、前記第一弾性部材が前記上下方向に収縮するように弾性変形した状態が維持される。
上記の防水装置によれば、第一接触部の傾斜面は防水部材から支持体に向かうに従って上方に向かうようにして傾斜しているため、第二接触部が傾斜面に接触した状態では、防水部材から支持体に向かう方向に防水部材を押圧する押圧力だけでなく、上下方向の下方に向かって防水部材を押圧する押圧力が発生する。よって、防水部材の下端部に設けられた第一弾性部材に対して十分な押圧力を加えることができる。また、上記の防水装置では、第二接触部が第一接触部の傾斜面に接触するように防水部材を支持体に対して支持させるだけで、防水部材を倒伏しないように設置することができ、かつ設置後の倒伏も防止できるため、設置作業が簡便となる。
【００１２】
上記の防水装置において、前記防水部材に設けられた前記傾斜面または前記第二接触部は、前記防水部材の上端部に設けられていてもよい。
上記の防水装置によれば、防水部材の倒伏時の回動支点となる第一弾性部材の下端から最も遠い部位である防水部材の上端部において防水部材の倒伏が防止されている。よって、他の部位に傾斜面または第二接触部が設けられる場合に比べて、第二接触部が傾斜面に接触する際に加わる力を小さくすることができる。このため、第二接触部と傾斜面を有する第一接触部との破損を防止することができる。
【００１３】
上記の防水装置において、前記防水部材に設けられた前記傾斜面または前記第二接触部は、前記防水部材において前記支持体と接する部位である、前記防水部材の幅方向の側部に設けられていてもよい。
上記の防水装置によれば、防水部材は幅方向の側部において支持体と接するため、この側部に傾斜面または第二接触部を設けることで、他の部位に傾斜面または第二接触部が設けられる場合に比べて、第二接触部が傾斜面に接触する際に加わる力を小さくすることができる。
【００１４】
上記の防水装置において、前記第二接触部は、前記傾斜面に対応して傾斜する接触面を有してもよい。前記第二接触部は、前記接触面を介して前記傾斜面と接触してもよい。
上記の防水装置によれば、第二接触部は、傾斜面に対応して傾斜する接触面と傾斜面との面接触により、傾斜面に接触するため、より確実に安定して傾斜面に接触することができる。
【００１５】
上記の防水装置は、前記第二接触部が前記傾斜面に接触した状態において前記防水部材の前記支持体に対向する面に設けられ、弾性変形可能な第二弾性部材をさらに備えてもよい。前記第二弾性部材は、弾性変形していない状態の厚み寸法が、前記第二接触部が前記傾斜面に接触した状態における前記防水部材と前記支持体との間の距離よりも大きくてもよい。
上記の防水装置によれば、第二接触部が傾斜面に接触した状態では、第二弾性部材は厚み寸法が小さくなるように弾性変形する。防水部材は第二弾性部材を介して支持体と接触するため、防水部材の設置作業時に支持体を傷つけることを防止することができる。
【発明の効果】
【００１６】
上記の防水装置によれば、第一接触部の傾斜面は防水部材から支持体に向かうに従って上方に向かうようにして傾斜しているため、第二接触部が傾斜面に接触した状態では、防水部材から支持体に向かう方向に防水部材を押圧する押圧力だけでなく、上下方向の下方に向かって防水部材を押圧する押圧力が発生する。よって、防水部材の下端部に設けられた第一弾性部材に対して十分な押圧力を加えることができる。また、上記の防水装置では、第二接触部が第一接触部の傾斜面に接触するように防水部材を支持体に対して支持させるだけで、防水部材を倒伏しないように設置することができ、かつ設置後の倒伏も防止できるため、設置作業が簡便となる。
【図面の簡単な説明】
【００１７】
【図１】本発明の一実施形態に係る防水装置を出入口に設置した状態を示す図である。
【図２】前記防水装置を出入口に設置した状態を示す図である。
【図３】前記防水装置の正面図である。
【図４】前記防水装置の右側面図である。
【図５】図３のＡ−Ａ線における断面図である。
【図６】前記防水装置の係合部材を拡大して示す図である。
【図７】前記防水装置の保持部材を拡大して示す図である。
【図８】前記係合部材と前記保持部材とが係合した状態を示す図である。
【図９】前記防水装置の第一接触部および第二接触部の例を示す図である。
【図１０】前記防水装置の第一接触部および第二接触部の他の例を示す図である。
【図１１】前記防水装置の補強部材の例を示す図である。
【図１２】前記防水装置の設置時の動作を示す図である。
【図１３】前記防水装置の設置時の動作を示す図である。
【図１４】前記防水装置の設置時の動作を示す図である。
【発明を実施するための形態】
【００１８】
以下、本発明の一実施形態について、図面を参照して説明する。
【００１９】
図１および図２は、本実施形態に係る防水装置１を建物などの出入口９１に設置した状態を示す図である。図１は、出入口９１の外側から見た図である。図２は、出入口９１の内側から見た図である。図３は、防水装置１の正面図である。図４は、防水装置１の右側面図である。図５は、図３のＡ−Ａ線における断面図である。防水装置１は、設置面９０上に設けられた支持体５０に支持される防水部材１０と、防水部材１０の下端部１０ｂに設けられ、上下方向Ａｖに弾性変形可能な弾性部材（第一弾性部材）２０と、を備える。防水装置１は、図１および図２に示すように出入口９１における支持体５０間の開口を防水部材１０で塞ぐことで、出入口９１の外部９２ａから内部９２ｂへの浸水を防止する。
【００２０】
以下の説明において、幅方向Ａｗとは、図３に示された防水装置１における水平方向をいう。上下方向Ａｖとは、図３に示された防水装置１における鉛直方向をいう。なお、上下方向Ａｖには、厳密な鉛直方向に対して多少傾いた方向も含むものする。さらに、上下方向Ａｖには、設置面９０が傾いている場合には、設置面９０に対して垂直な方向を含むものとする。厚み方向Ａｔとは、幅方向Ａｗおよび上下方向Ａｖの各々に対して直交する方向をいう。また、前面側とは、防水装置１の正面図である図３に示された側をいい、防水すべき内部９２ｂに向かう側である。背面側とは、防水装置１の正面図である図３に示された側（前面側）の反対側をいい、侵入してくる水に向かう側である。
【００２１】
図１から図５に示されるように、本実施形態では、防水部材１０は幅方向Ａｗおよび上下方向Ａｖに延びる板状に形成される。防水部材１０は、上下方向Ａｖの端部である上端部１０ａおよび下端部１０ｂと、幅方向Ａｗの端部である右側端部１０ｃおよび左側端部１０ｄと、を有する。上端部１０ａ、下端部１０ｂ、右側端部１０ｃ、および左側端部１０ｄは背面側に折り曲げられて、それぞれフランジ部分１１ａ、１１ｂ、１１ｃ、１１ｄが形成される。フランジ部分１１ａ、１１ｃ、１１ｄの厚み方向Ａｔの寸法（背面側に延びる寸法）は互いに同一である。フランジ部分１１ｂの厚み方向Ａｔの寸法はフランジ部分１１ａ、１１ｃ、１１ｄの厚み方向Ａｔの寸法よりも小さく、フランジ部分１１ｂの先端１１ｂａには後述する補強部材３５が設けられている。フランジ部分１１ａには、幅方向Ａｗに延びる補助部材１２ａが固定されている。フランジ部分１１ｂには、幅方向Ａｗに延びる補助部材１２ｂが固定されている。フランジ部分１１ｃには、上下方向Ａｖに延びる補助部材１２ｃが固定されている。フランジ部分１１ｄには、上下方向Ａｖに延びる補助部材１２ｄが固定されている。補助部材１２ａ、１２ｂ、１２ｃ、１２ｄには、例えば角管を用いることができる。また、補助部材１２ａ、１２ｂ、１２ｃ、１２ｄは、例えばリベットを用いて、フランジ部分１１ａ、１１ｂ、１１ｃ、１１ｄにそれぞれ固定されている。補助部材１２ａ、１２ｃ、１２ｄの厚み方向Ａｔの寸法は、それぞれフランジ部分１１ａ、１１ｃ、１１ｄの内側に収まる程度の寸法に設定されている。補助部材１２ｂの厚み方向Ａｔの寸法は、フランジ部分１１ｂの厚み方向Ａｔの寸法よりも大きく、補助部材１２ｂはフランジ部分１１ｂから背面側に突出する。補助部材１２ｂは後述する押圧部４０として機能する。なお、上述した防水部材１０の構成は一例であって、これに限定されない。例えば、防水部材１０に補助部材１２ａ、１２ｂ、１２ｃ、１２ｄが設けられておらず、代わりに、防水部材１０が全体として、補助部材１２ａ、１２ｂ、１２ｃ、１２ｄの厚み方向Ａｔの寸法と略同一の厚み方向Ａｔの寸法を有する板状に形成されてもよい。
【００２２】
防水部材１０の材質として、例えばアルミニウムを用いることができる。また、補助部材１２ａ、１２ｂ、１２ｃ、１２ｄの材質として、防水部材１０と同様に、例えばアルミニウムを用いることができる。
【００２３】
弾性部材２０は、防水部材１０の下端部１０ｂに設けられている。本実施形態では、弾性部材２０は、防水部材１０の下端部１０ｂに形成されたフランジ部分１１ｂの下側に、防水部材１０の幅方向Ａｗの全体に渡って設けられている。弾性部材２０は、出入口９１の通路面などの設置面９０と防水部材１０との間隙を密閉し、この間隙からの浸水を防止するために設けられている。弾性部材２０は、少なくとも上下方向Ａｖに弾性変形可能である。
【００２４】
本実施形態では、図５に示されるように、弾性部材２０は、上部弾性部材２０ａと、上部弾性部材２０ａの下側に設けられた下部弾性部材２０ｂと、から構成されている。例えば、上部弾性部材２０ａの材質としてクロロプレンゴム（ＣＲ）を用い、下部弾性部材２０ｂの材質としてエチレン・プロピレン・ジエンゴム（ＥＰＤＭ）を用いることができる。なお、上述した弾性部材２０の構成は一例であり、弾性部材２０は単一の弾性部材のみで構成されていてもよいし、複数の弾性部材から構成されていてもよい。
【００２５】
防水部材１０の前面１０ｅ、すなわち防水部材１０の支持体５０に対向する面には、弾性部材（第二弾性部材）２５が設けられている。弾性部材２５は、支持体５０と防水部材１０との間隙を密閉し、この間隙からの浸水を防止するために設けられている。弾性部材２５は、少なくとも厚み方向Ａｔに弾性変形可能である。弾性部材２５は、防水部材１０の前面１０ｅのうち少なくとも支持体５０に当接する範囲、および弾性部材２０の前面側の面のうち少なくとも支持体５０に当接する範囲に設けられていればよい。本実施形態では、防水部材１０の幅方向Ａｗの側部である右側部（側部）１０Ｒおよび左側部（側部）１０Ｌにおける前面１０ｅが上述した支持体５０に当接する範囲を含む。このため、図３に示すように、弾性部材２５は右側部１０Ｒおよび左側部１０Ｌにおける前面１０ｅ、および弾性部材２０のうち右側部１０Ｒおよび左側部１０Ｌに配置された部分の前面側の面に設けられている。また、弾性変形していない状態における弾性部材２５の上下方向Ａｖの寸法は、弾性部材２０が設置された状態の防水部材１０の上下方向Ａｖの寸法と同一である。弾性変形していない状態における弾性部材２５の厚み方向Ａｔの寸法は、後述する保持部材６０の傾斜部６１が係合部材３０の傾斜面３１ａに接触した状態における防水部材１０と支持体５０との間の距離よりも大きい。よって、傾斜部６１が傾斜面３１ａに接触した状態では、弾性部材２５は厚み方向Ａｔに収縮するように弾性変形する。弾性部材２５の材質として、例えばクロロプレンゴム（ＣＲ）を用いることができる。
【００２６】
防水装置１は、防水部材１０に上方を向いて設けられ、防水部材１０から支持体５０に向かうに従って上方に向かうようにして傾斜する傾斜面３１ａを有する傾斜部３１（係合部材３０、第一接触部）と、支持体５０に設けられ、傾斜面３１ａに接触する傾斜部６１（保持部材６０、第二接触部）と、をさらに備える。
【００２７】
図６は、防水部材１０の係合部材３０を拡大して示す図である。図６に示すように、係合部材３０は、防水部材１０の上端部１０ａに設けられている。また、係合部材３０は、後述するように支持体５０に設けられた保持部材６０と係合するため、防水部材１０において支持体５０と接する部位、すなわち防水部材１０のうち支持体５０と対向する右側部１０Ｒおよび左側部１０Ｌにそれぞれ配置されている。係合部材３０は、板状の部材から構成され、この板状の部材の一端側を折り曲げることにより形成された傾斜部３１を有する。傾斜部３１は、上方を向いており係合部材３０から上方に向かって傾斜する傾斜面３１ａを有する。係合部材３０は、傾斜部３１が支持体５０と対向する防水部材１０の前面側に配置されるように、防水部材１０に設けられている。したがって、傾斜面３１ａは、防水部材１０に上方を向いて設けられ、防水部材１０から支持体５０に向かうに従って上方に向かうようにして傾斜する。また、係合部材３０の傾斜面３１ａは、弾性部材２０が弾性変形していない状態において、支持体５０に設けられた保持部材６０の傾斜部６１よりも上方に位置する。したがって、係合部材３０が保持部材６０と係合した状態では、常に弾性部材２０に対して上下方向Ａｖに圧縮する力が加えられる。
【００２８】
本実施形態では、係合部材３０の傾斜部３１は、防水部材１０の前面１０ｅに対して厚み方向Ａｔに突出するように配置されている。傾斜部３１の下側には弾性部材２５が設けられているため、防水部材１０を支持体５０に支持させる際に傾斜部３１が支持体５０に接触して弾性部材２５を厚み方向Ａｔに適切に圧縮できなくなることを防ぐために、傾斜部３１の厚み方向Ａｔの寸法は弾性変形していない状態の弾性部材２５の厚み方向Ａｔの寸法よりも小さい。また、係合部材３０の材質として、例えばステンレス鋼を用いることができる。係合部材３０は、例えばリベットを用いて、防水部材１０に取り付けられている。
【００２９】
図１および図２に示すように、保持部材６０が設けられる支持体５０には、出入口９１の設置面９０上に設けられた既存の支柱５１などを利用することができる。この支柱５１に保持部材６０を取り付けることで、支柱５１は支持体５０として機能する。なお、既存の支柱５１を用いずに出入口９１に新たに支持体５０を設けてもよい。また、支柱５１の出入口９１とは反対側には浸水を防ぐために壁部５２が接続されている。
【００３０】
保持部材６０は、支持体５０において防水部材１０と対向する側に設けられている。図７に示すように、保持部材６０は、下部に係合部材３０の傾斜面３１ａに接触する傾斜部（第二接触部）６１を有する。傾斜部６１は、係合部材３０の傾斜面３１ａに対応して傾斜する傾斜面（接触面）６１ａを有する。保持部材６０の材質として、係合部材３０と同様に、例えばステンレス鋼を用いることができる。また、保持部材６０は、例えばネジ部材により支持体５０に取り付けられている。
【００３１】
上述したように、本実施形態では、係合部材３０の傾斜面３１ａは、弾性部材２０が弾性変形していない状態において、保持部材６０の傾斜部６１よりも下方に位置する。このため、図８に示すように、傾斜部６１が傾斜面３１ａに接触して保持部材６０が係合部材３０に係合した状態では、防水部材１０に上下方向Ａｖの下向きの押圧力が加わるため、弾性部材２０が上下方向Ａｖに収縮するように弾性変形する。同時に、傾斜面３１ａは防水部材１０から支持体５０に向かうに従って上方に向かうようにして傾斜しているため、防水部材１０に厚み方向Ａｔの支持体５０に向かう押圧力も加わる。このため、弾性部材２５が厚み方向Ａｔに収縮するように弾性変形する。
【００３２】
ここで、本実施形態に係る第一接触部および第二接触部の構成の例について説明する。防水部材１０に設けられた係合部材３０および支持体５０に設けられた保持部材６０はともに傾斜面を有しているが、必ずしも係合部材３０および保持部材６０の両方が傾斜面を有する必要はない。
【００３３】
図９および図１０は、防水装置１の第一接触部および第二接触部の例を示す図である。図９に示す例では、支持体５０に傾斜面７１を有する第一接触部７０が設けられている。傾斜面７１は、支持体５０に下方を向いて設けられ、防水部材１０から支持体５０に向かうに従って上方に向かうように傾斜する。また、防水部材１０に傾斜面７１に接触する第二接触部７２が設けられている。このような構成であっても、支持体５０に設けられた傾斜面７１が防水部材１０に設けられた第二接触部７２を押圧する力は傾斜面７１の上述した傾斜により上下方向Ａｖと厚み方向Ａｔとに分解される。このため、第二接触部７２が傾斜面７１に接触した状態では、防水部材１０に対して上下方向Ａｖの下向きの押圧力と厚み方向Ａｔの支持体５０に向かう押圧力とが加えられる。
【００３４】
また、図１０に示す例では、防水部材１０に傾斜面７４を有する第一接触部７３が設けられている。傾斜面７４は、防水部材１０に上方を向いて設けられ、防水部材１０から支持体５０に向かうに従って上方に向かうように傾斜する。また、支持体５０に傾斜面７４に接触する第二接触部７５が設けられている。このような構成であっても、図９に示す例と同様に、支持体５０に設けられた第二接触部７５が防水部材１０に設けられた傾斜面７４を押圧する力は傾斜面７４の上述した傾斜により上下方向Ａｖと厚み方向Ａｔとに分解される。このため、第二接触部７５が傾斜面７４に接触した状態では、防水部材１０に対して上下方向Ａｖの下向きの押圧力と厚み方向Ａｔの支持体５０に向かう押圧力とが加えられる。
【００３５】
したがって、本実施形態に係る防水装置１では、防水部材１０と支持体５０とのうち一方に傾斜面を有する第一接触部が設けられ、他方に傾斜面に接触する第二接触部が設けられればよい。すなわち、防水装置１は、防水部材１０に上方を向いて設けられ、または、支持体５０に下方を向いて設けられ、防水部材１０から支持体５０に向かうに従って上方に向かうようにして傾斜する傾斜面を有する第一接触部と、傾斜面が設けられた防水部材１０または支持体５０の一方に対して他方に設けられ、傾斜面に接触する第二接触部と、を備えていればよい。
【００３６】
また、防水部材１０には、弾性部材２０に上下方向Ａｖの力を加えることが可能な押圧部４０が設けられている。本実施形態では、補助部材１２ｂが押圧部４０として機能する。図１、図４、および図５に示すように、押圧部４０は、上下方向Ａｖに交差し、上方に開放された押圧面４０ａを有する。すなわち、補助部材１２ｂの上面が押圧面４０ａとして機能する。押圧部４０は、係合部材３０を保持部材６０に係合させて防水部材１０を支持体５０に支持させる際に、弾性部材２０を上下方向Ａｖに収縮するように弾性変形させる押圧力を加えるために設けられている。例えば、作業者は押圧面４０ａを足で踏むことによって弾性部材２０に上下方向Ａｖの下向きの押圧力を加える。このため、押圧部４０は、防水部材１０の上端部１０ａよりも下方であって、弾性部材２０よりも上方の位置に設けられていることが好ましい。また、作業者が押圧部４０に足を掛けやすいように、押圧部４０は、上下方向Ａｖから見たときに、弾性部材２０から突出する位置に配置されていることが好ましい。なお、押圧部４０は、上下方向Ａｖから見たときに、弾性部材２０から突出する位置に配置されていなくてもよい。
【００３７】
防水装置１は、弾性部材２０よりも高い剛性を有し、上下方向Ａｖに弾性部材２０に沿って配置された補強部材３５をさらに備えてもよい。図５に示すように、本実施形態では、補強部材３５は、防水部材１０のフランジ部分１１ｂと一体に形成され、フランジ部分１１ｂの先端１１ｂａから上下方向Ａｖの下向きに弾性部材２０に沿って延びている。よって、補強部材３５の材質として、防水部材１０と同様に、例えばアルミニウムを用いることができる。なお、補強部材３５は、必ずしもフランジ部分１１ｂと一体に形成されなくてもよい。また、補強部材３５の下端３５ｂは、弾性部材２０の上下方向Ａｖにおける中間位置よりも下方に位置している。補強部材３５は、弾性部材２０の過度な弾性変形と、この弾性変形による座屈を防止するために設けられている。
【００３８】
補強部材３５と弾性部材２０との間に隙間がなく、補強部材３５が弾性部材２０と接触している場合には、弾性部材２０は弾性変形の当初から上下方向Ａｖに沿って補強部材３５に拘束されることになる。このため、弾性部材２０の上下方向Ａｖの弾性変形に伴って起こる側方（厚み方向Ａｔ）への変形が抑制され、結果として上下方向Ａｖの弾性変形自体がしにくくなる。このため、補強部材３５は、弾性部材２０から離間して設けられていることが好ましい。補強部材３５と弾性部材２０との間に隙間を設けることで、弾性部材２０は上下方向Ａｖの弾性変形とこれに伴う厚み方向Ａｔの弾性変形を適正に行うことができる。同時に、弾性部材２０における座屈などによる著しい変形に対しては、弾性部材２０から離間して設けられた補強部材３５で弾性部材２０を拘束することにより、抑制することができる。
【００３９】
図１１は、防水装置１の補強部材３５の例を示す図である。図１１に示す例のように、補強部材３５は、補強部材３５の下端３５ｂから弾性部材２０に向かって延びる延設部３６を有してもよい。延設部３６は、補強部材３５の下端３５ｂにおいて幅方向Ａｗの全体に渡って設けられていてもよいし、一部のみに設けられていてもよい。例えば、延設部３６は、補強部材３５の下端３５ｂにおいて幅方向Ａｗの両側端部のみに設けられていてもよい。
【００４０】
次に、防水装置１の設置時の動作について説明する。図１２から図１４は、防水装置１の設置時の動作を示す図である。
【００４１】
作業者は、図１２に示すように、防水部材１０の前面１０ｅを支持体５０に向け、弾性部材２０が支持体５０と設置面９０との間に配置されるように防水部材１０が傾いた状態で、防水部材１０を設置面９０に下ろす。次に、押圧面４０ａにおいて図１２に示されるＢ部分を足で踏み込みながら、防水部材１０が垂直になるように弾性部材２０を中心に防水部材１０を支持体５０に接近させるように回転させる。そして、Ｂ部分を足で踏み込みながら、右側部１０Ｒの係合部材３０および左側部１０Ｌの係合部材３０をそれぞれ支持体５０の保持部材６０に係合させ、防水部材１０を支持体５０に固定させる。
【００４２】
この設置動作の際、作業者が押圧面４０ａのＢ部分を足で踏み込むため、弾性部材２０は隣接する弾性部材２５とともに上下方向Ａｖに圧縮される。すなわち、弾性部材２０は上下方向Ａｖに収縮するように弾性変形する。ここで、図１３および図１４では、２点鎖線を用いて弾性部材２０が弾性変形していない状態の防水装置１を簡略化して示し、実線を用いて弾性部材２０が上下方向Ａｖに弾性変形した状態の防水装置１を簡略化して示す。図１３において２点鎖線で示されるように、弾性部材２０が弾性変形していない状態において、係合部材３０の傾斜面３１ａは保持部材６０の傾斜部６１よりも上方に位置する。しかしながら、図１３において実線で示されるように、弾性部材２０を上下方向Ａｖに圧縮することで、係合部材３０の傾斜面３１ａを保持部材６０の傾斜部６１よりも下方に位置させることができる。この状態で作業者が押圧面４０ａから足を離すと、弾性部材２０に加えられていた上下方向Ａｖの押圧力がなくなるため、図１４に示されるように、弾性部材２０の復元力により弾性部材２０は上下方向Ａｖに伸長するように弾性変形する。これにより、係合部材３０の傾斜面３１ａは保持部材６０の傾斜部６１に接触し、係合部材３０は保持部材６０に係合する。上述のように、弾性部材２０が弾性変形していない状態において、係合部材３０の傾斜面３１ａは保持部材６０の傾斜部６１よりも上方に位置するため、係合部材３０が保持部材６０に係合した状態においても、図１４に示されるように、弾性部材２０は元の状態にまでは戻らず、上下方向Ａｖに収縮するように弾性変形した状態が維持される。したがって、弾性部材２０には常に復元力が発生し、この復元力により上下方向Ａｖの押圧力が設置面９０に対して常に加えられるため、防水部材１０と設置面９０との間の止水性を良好に保つことができる。
【００４３】
同時に、傾斜面３１ａは上述したように傾斜しているため、防水部材１０に対して、防水部材１０から支持体５０に向かう方向、すなわち厚み方向Ａｔにおいて支持体５０に向かう方向にも押圧力が加わる。防水部材１０の支持体５０に対向する前面１０ｅには弾性部材２５が設けられているため、弾性部材２５にこの押圧力が加わる。ここで、弾性変形していない状態における弾性部材２５の厚み方向の寸法は、保持部材６０の傾斜部６１が係合部材３０の傾斜面３１ａに接触した状態における防水部材１０と支持体５０との間の距離よりも大きい。このため、この押圧力により弾性部材２５は厚み方向Ａｔに収縮するように弾性変形し、係合部材３０が保持部材６０に係合している間、この弾性変形した状態が維持される。したがって、弾性部材２５には常に復元力が発生し、この復元力により厚み方向Ａｔの押圧力が支持体５０に対して常に加えられる。よって、防水部材１０と支持体５０との間の止水性を良好に保つことができる。
【００４４】
本実施形態に係る防水装置１によれば、係合部材３０の傾斜面３１ａは防水部材１０から支持体５０に向かうに従って上方に向かうようにして傾斜しており、係合部材３０の傾斜面３１ａは、弾性部材２０が弾性変形していない状態において、保持部材６０の傾斜部６１よりも上方に位置する。このため、保持部材６０の傾斜部６１が係合部材３０の傾斜面３１ａに接触した状態では、防水部材１０から支持体５０に向かう方向、すなわち防水部材１０の厚み方向Ａｔに支持体５０に向かって防水部材１０を押圧する押圧力だけでなく、上下方向Ａｖの下方に向かって防水部材１０を押圧する押圧力が発生する。よって、防水部材１０の下端部１０ｂに設けられた弾性部材２０に対して十分な押圧力を加えることができ、この押圧力により弾性部材２０が上下方向Ａｖに収縮した状態が維持されることで防水部材１０と設置面９０との間の止水性を良好に保つことができる。また、弾性部材２０には常に復元力が発生することになるため、この復元力に上下方向Ａｖの上向きの押圧力が防水部材１０に加えられ、係合部材３０と保持部材６０との係合状態が維持される。よって、防水部材１０の倒伏を確実に防止することができる。また、保持部材６０の傾斜部６１が係合部材３０の傾斜面３１ａに接触するように防水部材１０を支持体５０に対して支持させるだけで、防水部材１０を倒伏しないように設置することができ、かつ設置後の倒伏も防止できるため、設置作業が簡便となる。
【００４５】
また、係合部材３０の傾斜面３１ａは防水部材１０の上端部１０ａに設けられているため、防水装置１は、防水部材１０の倒伏時の回動支点となる弾性部材２０の下端から最も遠い部位である防水部材１０の上端部１０ａにおいて防水部材１０の倒伏が防止されている。よって、他の部位に傾斜面３１ａが設けられている場合に比べて、保持部材６０の傾斜部６１が傾斜面３１ａに接触する際に加わる力、すなわち係合部材３０と保持部材６０とが係合する際の係合力を小さくすることができる。このため、係合部材３０と保持部材６０との破損を防止することができる。また、係合部材３０と保持部材６０との間の係合力を小さくできることに対応して係合時の弾性部材２０の弾性変形量も小さくすることができる。したがって、作業者が押圧面４０ａを踏み込む量を小さくすることができるため、作業性を向上させることができる。
【００４６】
係合部材３０の傾斜面３１ａは、防水部材１０において支持体５０と接する部位である、防水部材１０の幅方向Ａｗの側部（右側部１０Ｒ、左側部１０Ｌ）に設けられている。防水部材１０は幅方向Ａｗの側部において支持体５０と接するため、この側部に傾斜面３１ａを設けることで、他の部位に傾斜面３１ａが設けられている場合に比べて、保持部材６０の傾斜部６１が傾斜面３１ａに接触する際に加わる力、すなわち係合部材３０と保持部材６０とが係合する際の係合力を小さくすることができる。また、これに応じて係合時の弾性部材２０の弾性変形量も小さくすることができるため、作業者が押圧面４０ａを踏み込む量を小さくすることができ、作業性を向上させることができる。
【００４７】
保持部材６０の傾斜部６１は、係合部材３０の傾斜面３１ａに対応して傾斜する傾斜面６１ａを有しており、傾斜面６１ａを介して傾斜面３１ａと接触している。傾斜部６１は、傾斜面３１ａに対応して傾斜する傾斜面６１ａと傾斜面３１ａとの面接触により、傾斜面３１ａに接触するため、より確実に安定して傾斜面３１ａに接触することができる。よって、傾斜部６１が一旦傾斜面３１ａと接触すると、傾斜部６１は傾斜面３１ａから離れにくくなり、係合部材３０と保持部材６０との係合が安定的に維持される。
【００４８】
防水部材１０の支持体５０に対向する面（前面１０ｅ）には、弾性変形可能な弾性部材２５が設けられている。この弾性部材２５は、弾性変形していない状態の厚み寸法が、保持部材６０の傾斜面６１ａが係合部材３０の傾斜面３１ａに接触した状態における防水部材１０と支持体５０との間の距離よりも大きい。よって、保持部材６０の傾斜部６１が係合部材３０の傾斜面３１ａに接触した状態では、弾性部材２５は厚み方向Ａｔに収縮するように弾性変形する。弾性部材２５においてこの弾性変形した状態が維持されることで防水部材１０と支持体５０との間の止水性を良好に保つことができる。また、防水部材１０は弾性部材２５を介して支持体５０と接触するため、防水部材１０の設置作業時に支持体５０を傷つけることを防止することができる。
【００４９】
防水部材１０には、弾性部材２０に上下方向Ａｖの力を加えることが可能な押圧部４０が設けられている。この押圧部４０は、上下方向Ａｖに交差し、上方に開放された押圧面４０ａを有する。このため、防水部材１０の設置作業時に、例えば作業者が足で押圧面４０ａを踏むことにより、弾性部材２０に対して上下方向Ａｖの下向きの押圧力を容易に加えることができる。よって、例えば防水部材１０の重量が軽く、自重では弾性部材２０に十分な押圧力を加えることができない場合であっても、弾性部材２０に適切な押圧力を加えることができる。これにより、防水部材１０と設置面９０との間の止水性を良好に保つことができる。
【００５０】
押圧部４０は、上下方向Ａｖから見たときに、弾性部材２０から突出する位置に配置されている。このため、防水部材１０の設置作業時において、防水部材１０が傾斜した状態にある場合でも、作業者が足などを押圧部４０に掛けやすくなる。よって、防水部材１０の設置作業の効率を向上させることができる。
【００５１】
防水装置１は、弾性部材２０よりも高い剛性を有し、上下方向Ａｖに弾性部材２０に沿って配置された補強部材３５を備える。この補強部材３５の下端３５ｂは、弾性部材２０の上下方向Ａｖにおける中間位置よりも下方に位置する。この補強部材３５により、弾性部材２０の過度な弾性変形と、この弾性変形による座屈を防止することができる。したがって、弾性部材２０による防水部材１０と設置面９０との間の止水性を長期的に維持することができる。
【００５２】
本実施形態では、防水装置１は、防水部材１０に傾斜面３１ａが設けられ、支持体５０に傾斜部（第二接触部）６１が設けられている構成を有しているとして説明した。しかしながら、防水装置１は、支持体５０に傾斜面６１ａが設けられ、防水部材１０に傾斜部（第二接触部）３１が設けられている構成を有しているとしてもよい。
【００５３】
この例の場合、図８に示すように、支持体５０に設けられた保持部材６０は、下部に傾斜部（第一接触部）６１を有する。傾斜部６１は、下方を向いており防水部材１０が配置される側から支持体５０に向かうに従って上方に向かうようにして傾斜する傾斜面６１ａを有する。すなわち、傾斜面６１ａは、支持体５０に下方を向いて設けられ、防水部材１０から支持体５０に向かうに従って上方に向かうようにして傾斜する。また、図７に示すように、防水部材１０に設けられた係合部材３０は、保持部材６０の傾斜面６１ａに接触する傾斜部（第二接触部）３１を有する。傾斜部３１は、保持部材６０の傾斜面６１ａに対応して傾斜する傾斜面（接触面）３１ａを有する。なお、係合部材３０の傾斜部３１が保持部材６０の傾斜面６１ａに接触する際の動作およびその作用は、上述した保持部材６０の傾斜部６１が係合部材３０の傾斜面３１ａに接触する動作およびその作用と、実質的に同一である。
【００５４】
以上、本発明の好ましい実施形態を説明したが、本発明はこれら実施形態に限定されることはない。本発明の趣旨を逸脱しない範囲で、構成の付加、省略、置換、およびその他の変更が可能である。
【符号の説明】
【００５５】
１  防水装置
１０  防水部材
２０  弾性部材（第一弾性部材）
２５  弾性部材（第二弾性部材）
３０  係合部材
３１、６１  傾斜部（第一接触部、第二接触部）
３１ａ、６１ａ  傾斜面（接触面）
３５  補強部材
３６  延設部
４０  押圧部
４０ａ  押圧面
５０  支持体
６０  保持部材
７０、７３  第一接触部
７１、７４  傾斜面
７２、７５  第二接触部
９０  設置面
【図１】
0006538475.tif 000002
【図２】
0006538475.tif 000003
【図３】
0006538475.tif 000004
【図４】
0006538475.tif 000005
【図５】
0006538475.tif 000006
【図６】
0006538475.tif 000007
【図７】
0006538475.tif 000008
【図８】
0006538475.tif 000009
【図９】
0006538475.tif 000010
【図１０】
0006538475.tif 000011
【図１１】
0006538475.tif 000012
【図１２】
0006538475.tif 000013
【図１３】
0006538475.tif 000014
【図１４】
0006538475.tif 000015